(57)【要約】【課題】  欄干のデザインなどの型を施工終了後において、随意に取り外し、変更する。【構成】手すり、欄干などを固定ユニット、欄干主体ユニット及び手すりユニット１０９の各モジュール化部材を組み合わせて構成する。固定ユニットは、立柱１０１と基礎に固定する羽根板１０３からなり、欄干主体ユニットは、外フレーム１１１、内フレーム１１２及びその内側に固定された縦棒状、横棒状、或いはフェンス状など種々のデザインで形成された枠状柵体１１３からなり、手すりユニットは、各固定ユニットの間隔に相当する長さで、両端に嵌合凹部を形成してなる。欄干の組み立ては、立設された立柱側面に形成された凸部に手すりユニットの嵌合凹部を嵌合固定し、欄干主体ユニットを立柱にネジで固定して完成する。これらの各モジュール部材は、随意にネジにより取外し、交換できる。【選択図】図１
2005030076.tif 000002
【特許請求の範囲】
【請求項１】
剛性部材を組み立ててなる着脱が容易な欄干であって、防蝕処理を施した材料で予め作製した固定ユニット、欄干主体ユニット及び手すりユニットからなるモジュール化した部材を組み合わせて構成され、
固定ユニットは、基礎底面に固定するための羽根板及び欄干主体ユニットを固定するためのネジ穴を設けた腹板を有すると共に、該腹板に前記手すりユニットの両端の方形凹部を嵌合する方形凸部を設けたＴ型立柱からなり、
前記欄干主体ユニットは、外フレーム材、内フレーム材及び中央欄干部分からなる枠状柵体で構成し、
上記Ｔ型立柱腹板に形成したネジ穴に対応して外フレーム材に凹穴を設けることにより、上記Ｔ型立柱腹板に形成したネジ穴にボルト・ナットを仮固定して、該ボルトに欄干主体ユニットの上記凹穴を掛け入れて強固にボルトを締結して固定するようにしてなり、
前記手すりユニットは、立設された立柱の間隔に相当する長さの両端に上記立柱の方形凸部に嵌合する方形凹部を設けてなり、
以上の構成によって、欄干の組立て、取り外し及びこれらのモジュール化された固定ユニット、欄干主体ユニット及び手すりユニットの組み合わせ及び交換を随意にできることを特徴とするモジュール化された部材からなる欄干。
【請求項２】
剛性部材を組み立ててなる着脱が容易な欄干であって、防蝕処理を施した材料で予め作製した固定ユニット、欄干主体ユニット及び手すりユニットからなるモジュール化した部材を組み合わせて構成され、
固定ユニットは、階段の段面又は階段の横壁に固定するための羽根板及び欄干主体ユニットを固定するためのネジ穴を設けた腹板を有すると共に、該腹板に前記手すりユニットの両端の方形凹部を嵌合する方形凸部を階段の傾斜角度にあわせて設けたＴ型立柱からなり、
前記欄干主体ユニットは、外フレーム材、内フレーム材及び中央欄干部分からなる枠状柵体で構成し、その枠形状は階段の傾斜角度に合わせた平行四辺形とし、
上記Ｔ型立柱腹板に形成したネジ穴に対応して外フレーム材に凹穴を設けることにより、上記Ｔ型立柱腹板に形成したネジ穴にボルト・ナットを仮固定して、該ボルトに欄干主体ユニットの上記凹穴を掛け入れて強固にボルトを締結して固定するようにしてなり、
前記手すりユニットは、立設された立柱の間隔に相当する長さの両端に上記立柱の方形凸部に嵌合する方形凹部を設けてなり、
以上の構成によって、欄干の組立て、取り外し及びこれらのモジュール化された固定ユニット、欄干主体ユニット及び手すりユニットの組み合わせ及び交換を随意にできることを特徴とするモジュール化された部材からなる欄干。
【発明の詳細な説明】
【技術分野】
【０００１】
本発明は着脱が容易な欄干に関するもので、特に着脱が容易な欄干の各部材について、予めモジュール化する方法で標準化しておき、施工時における迅速な組み立て及び取外しを可能とし、作業効率を効果的に高め、使用場所の様々なニーズに合わせて欄干の主体の型を交換できるものである。
【背景技術】
【０００２】
一般的な建築物、例えば一般の民家、マンション、ビル及び各種商業スペースなどの階段、ベランダ等には、転落を防止するために、ほとんどの場合妥当な外観形状の欄干・手すり手段が取り付けられており、こうした欄干・手すり手段は普遍的なものであり、またその重要性が際立っている。
【０００３】
従来公知の欄干・手すり手段は慣用的な種類や型のものがほとんどで、即ち金属のパイプ状または木質の材料を接合した手すりを組み合わせて構成されており、階段箇所に常用されている。金属材質で欄柱、柵、欄干などの部材を作製し、階段に固定し、更にプラスチック材質で手すりを作製し、前記欄柱、柵、欄干など部材の上方に取り付けるものが最も典型的な例であるが、その様式、規格、種類は極めて多いとはいえ、実際には材質及び欄柱、柵、欄干、手すりの細部に相違があるだけで、現在一般に広く利用されているものは、往々にして取り外すという目的を達成するには取り壊すしかなく、取り壊された欄干、手すり部材は再利用することができず、また従来の欄干では施工終了後において、随意にその型を変更することはできず、それをするためには取外して新たに取り付けねばならないため実用的ではなかった。
【０００４】
現在、部材を減らしたデザインを強調しているものもあり、迅速な組立て・除去が可能な欄干を形成できるが、その種類・型の多くは元来の旧式な型の域を出ておらず、欄干の主体の型を交換することはできないので、これもまた実用的ではなかった。
【発明の開示】
【発明が解決しようとする課題】
【０００５】
上述の問題点に鑑み、本発明者は検討、研究を重ねて、全く新しいタイプの組み立て、交換が容易な欄干を設計した。即ち予め作製しておいて防蝕処理を施したモジュール化した部材によって施工時に各部材を取り壊すことなく迅速な組み立てを可能とし、取外しもまた迅速に達成でき、さらに様々な使用ニーズに応えるべく欄干の主体ユニットの型を交換することもでき、従来の欄干・手すり手段では欄干の主体の型を繰り返し着脱、交換できなかった欠点を効果的に改善することを課題とする。
【課題を解決するための手段】
【０００６】
本発明は剛性部材を組み立ててなる着脱が容易な欄干に係るもので、固定ユニット、欄干主体ユニット及び手すりユニットを含む部材を組み合わせて構成されており、
上記固定ユニットは、Ｔ型立柱及び方形凸部を有し、Ｔ型立柱は長めの薄い金属板からなり、該Ｔ型立柱の羽根板及び腹板の上方、下方にそれぞれ予めネジ穴を開けておき、施工時にＴ型立柱を倒置してＴ型立柱の羽根板と底面、或いは階段の段面を重ね合わせて、ネジで底面、或いは階段の段面に固定し、Ｔ型立柱の腹板の羽根板から離れた方の一側は辺の角を平滑状に仕上げ、Ｔ型立柱の腹板の左右両側に方形凸部を取り付け、ネジ穴を開けておき、前記手すりユニットの方形凹部を嵌合させて、接合しようとする前記手すりユニットと対応させる。
【発明の効果】
【０００７】
上記からわかるように、使用ニーズに応じて数個の固定ユニット、欄干主体ユニット及び手すりユニットを組み合わせれば、即ち本発明の着脱が容易な欄干を形成することができ、使用ニーズに合わせて、弾力的に欄干主体ユニットの型を変えて、通路の縁、階段、ベランダなど様々な場所に取り付けることができる。使用の過程で、その欄干主体ユニットの型を変更したり、或いは取付け場所を変更したい場合でも、Ｔ型立柱の腹板側と欄干主体ユニットの固着箇所のネジ、立柱の羽根板を底面（階段面）に固定したネジ及び方形凸部、方形の凹部を締め付けているネジを一つ一つ緩めれば、即ち迅速かつ容易に取外しができ、現有の欄干部材を取り壊す必要がなく、こうして容易に取外し、取付け、及び繰り返し使用できるという機能を達成できる。
【発明を実施するための最良の形態】
【０００８】
上記欄干主体ユニットは、外フレーム材、内フレーム材及び中央欄干部分からなる枠状柵体で、その中央欄干は縦棒状、横棒状、フェンス状或いは彫模様など様々な型とすることができる。施工前に使用者のニーズに応じて欄干の型を選定し、予め工場で枠状柵体の中央欄干を作製し、前記欄干主体ユニットの左外フレーム材及び右外フレーム材部分にそれぞれ２つの凹穴を設けておき、固定ユニットのＴ型立柱腹板の上方、下方に開けたネジ穴を対応させて、立柱腹板の上方、下方に開けたネジ穴にボルトを挿入し、両側をナットで固定して、該欄干主体ユニットの凹穴に前記ボルトを掛け入れ、更にパッド及び止めナットで固く締め付け、隣接する欄干主体ユニットを前記固定ユニットのＴ型立柱に固定させる。このほか、本発明の着脱が容易な欄干の内、外フレーム材は中空フレーム体であり、継ぎ目から雨水が浸入し部材内部に留まって錆びが生じないようになっており、さらに該欄干主体ユニットの内、外フレーム材の下方に排水用の数個の排水孔を設けて、積水によりフレーム材に錆びが生じることを防止するとともに欄干部材の耐用期限を保証している。
【０００９】
上記手すりユニットは、防蝕処理を施した材料で作製した中空の円管で、該円管の両端下方にはそれぞれ方形の凹部が溶接され、前記手すりユニットを装着する際に、該方形の凹部と前記固定ユニットのＴ型立柱の両側に設置される方形凸部とを嵌合させ、前記固定ユニットの方形凸部の底部でネジにより前記方形凸部と前記手すりユニットの方形凹部を固着させ、該手すりユニットをＴ型立柱とＴ型立柱との間に固定させ、慣用的な階段手すりに仕上げ、同時に欄干構造全体の安定性に寄与させており、取り外すときにはネジを緩めるだけで手すりユニットを容易に上向きに引き出すことができる。
【００１０】
使用ニーズに合わせて主体ユニットの型を選定し、数個の前記固定ユニット、欄干主体ユニット及び手すりユニットをフレキシブルに組み合わせて取り付け、ネジで前記固定ユニット、欄干主体ユニット及び手すりユニットを通路の縁、ベランダ等に固定する。取り外すときには、前記立柱の腹板側と前記欄干主体ユニットの固定箇所のネジ、前記固定手段において立柱の羽根板を底面（段面）に固定したネジ及び前記手すりユニットの方形凸部と方形凹部を固着したネジを一つ一つ緩めるだけでよい。
【００１１】
本発明に係る着脱が容易な欄干は、様々な場所で迅速且つ容易に据付けと取外しが可能であり、特に階段など水平面にないものに対しても施工することができ、階段箇所の施工方法が水平面の場合と異なる点は、主に階段箇所に施工する際には予め階段の傾斜角度及び階段の傾斜面の長さを測量しておき、工場において測量したデータに基づいて型を作り、予め固定ユニット、欄干主体ユニット及び手すりユニットなどの部材をモジュール化した組成部品に作製しておくことであり、
上記固定ユニットは、Ｔ型立柱及び方形凸部を有し、Ｔ型立柱は長めの薄い金属板からなり、該Ｔ型立柱の羽根板及び腹板の上方、下方にそれぞれ予めネジ穴を開けておき、施工時にＴ型立柱を倒置してＴ型立柱の羽根板と階段の段面を重ね合わせて、ネジでＴ型立柱を階段の段面または階段の横壁に固定し、Ｔ型立柱の腹板の羽根板から離れた方の一側は辺の角を平滑状に仕上げ、Ｔ型立柱の腹板の左右両側に方形凸部を取り付け、該方形凸部は予め施工現場で階段の傾斜角度を測量しておき、工場で測量したデータに基づいて型を作って取り付けようとする階段の傾斜角度と平行になるように作製したもので、方形凸部の底部にネジ穴を穿設しておき、前記手すりユニットの方形凹部に嵌合させる。
【００１２】
上記欄干主体ユニットは、外フレーム材、内フレーム材及び中央欄干部分からなる枠状柵体で、その施工方法は前記水平面での施工と同じであるが、施工前に予め施工現場で階段の傾斜角度及び斜面の長さを測量しておき、工場で測量したデータに基づいて型をとって作製するもので、該欄干主体ユニットを平行四辺形の枠状柵体として形成し、装着する階段の傾斜面と互いに平行にし、階段間の方形角に合わせるようにして、即ち前記水平面の施工方法を改変的に採用する（弧状或いは特殊な彎曲箇所には適用されない）。また、該欄干主体ユニットの左外フレーム材及び右外フレーム材部分にそれぞれ２つの凹穴を設けておき、固定ユニット中のＴ型立柱腹板の上方、下方に開けたネジ穴と対応させる。前記立柱腹板の上方、下方に開けたネジ穴にボルトを挿入し、両側をナットで固定して、該欄干主体ユニットの前記凹穴に前記ボルトを掛け入れ、更にパッド及び止めナットで固く締め付け、隣接する欄干主体ユニットを前記固定ユニットのＴ型立柱に固定させるほか、該内フレーム材、外フレーム材の下方に排水用の数個の排水孔を設けておき、さらに、該欄干主体ユニットの形状は平行四辺形であるものとし、施工時に各部材が確実に組み合わさるようになっている。
【００１３】
上記手すりユニットは、防蝕処理を施した材料で作製した中空の円管で、該円管の両端下方にはそれぞれ方形の凹部が溶接され、該手すりユニットを装着する際に、該方形の凹部と前記固定ユニットのＴ型立柱の両側に設置される方形の凸部とを嵌合させ、前記固定ユニットの方形凸部の底部でネジにより前記方形凸部と前記手すりユニットの方形凹部を固着し、該固定手すりユニットをＴ型立柱とＴ型立柱との間に固定させ、慣用的な階段手すりに仕上げ、同時に欄干構造全体の安定性に寄与させており、取り外す際にはネジを緩めるだけで手すりユニットを容易に上向きに引き出すことができる。
【００１４】
使用ニーズに合わせて欄干主体ユニットの型を選定し、数個の前記固定ユニット、欄干主体ユニット及び手すりユニットをフレキシブルに組み合わせて取り付け、ネジで前記固定ユニット、欄干主体ユニット及び手すりユニットを階段の傾斜面、階段間の角部分などに固定する。取り外すときには、前記立柱の腹板側と前記欄干主体ユニットの固定箇所のネジ、前記固定手段において立柱の羽根板を底面（段面）に固定したネジ及び前記手すりユニットの方形凸部と方形凹部を固着したネジを一つ一つ緩めるだけでよい。
【００１５】
前記固定ユニット、欄干主体ユニット及び手すりユニットは使用ニーズに応じて予め工場で作製しておき、現場での施工時に数個の前記固定ユニット、欄干主体ユニット及び手すりユニットを組み合わせれば、即ち本発明の着脱が容易な欄干が形成され、使用ニーズに合わせて欄干主体ユニットの型を変えれば、通路の縁、階段、ベランダ等の異なる場所に適した装着ができる。使用の過程で、その欄干主体ユニットの型或いは取付箇所を変更したい場合でも、迅速かつ簡単に取外しと据付けができ、元の欄干部材を破損せずに、容易に取外しと据付けができ及び繰り返し使用できるという効果を達成できる。
【００１６】
以下、図を参考にして本発明を詳細に説明する。
本発明は、容易かつ迅速に取外し及び据付けができる着脱が容易な欄干に関わり、予め防蝕処理を施した材料を標準化、モジュール化した部材に作製し、施工時に各部材を素早く組み合わせ、取外しの際にも迅速かつ簡易に施工できるものであり、欄干主体ユニットの型を交換すれば、様々な場面の使用ニーズにも対応できる。
【００１７】
下記実施例１、実施例２では、それぞれ格子状及び横棒状の欄干主体ユニットの水平面における施工方法を説明しており、また実施例３では本発明の着脱が容易な欄干の階段箇所での施工方法を説明している。
【００１８】
図１〜３はそれぞれ、本発明に関する実施例１における欄干主体ユニットが格子状柵である着脱が容易な欄干の立面図、Ａ−Ａ断面の上面図、Ｂ−Ｂ断面の側面図であり、図４〜６はそれぞれ、本発明に関する実施例２における欄干主体ユニットが横棒式である着脱が容易な欄干の立面図、Ｃ−Ｃ断面の上面図、Ｄ−Ｄ断面の側面図であり、図７〜９はそれぞれ、本発明に関する実施例３における欄干主体ユニットが格子状柵である欄干を階段箇所に設置した場合の立面図、Ｅ−Ｅ断面の上面図、Ｆ−Ｆ断面の側面図である。
【実施例１】
【００１９】
図１〜３に示したように、本発明に関連する剛性部材を組み立ててなる着脱が容易な欄干は、固定ユニット、欄干主体ユニット及び手すりユニットを含む部材を組み合わせて構成されている。固定ユニットはＴ型立柱１０１及び方形凸部１０２を有し、該Ｔ型立柱１０１は長めの薄い金属板からなり、該Ｔ型立柱１０１の羽根板１０３及び腹板１０４の上方、下方にそれぞれ予めネジ穴１０５を開けておき、施工時にＴ型立柱１０１を倒置して立柱１０１の羽根板１０３と底面とを重ね合わせて、ネジ１０６で底面に固定し、該Ｔ型立柱１０１の腹板１０４の、羽根板１０３から離れた方の一側は辺の角１０７を平滑状に仕上げ、該Ｔ型立柱１０１の腹板１０４の左右両側に方形凸部１０２を取り付け、該方形凸部１０２内にそれぞれネジ穴１０８を穿設しておき、後述の手すりユニット１０９の方形凹部１１０と嵌合させて、組み合わせようとする後述の手すりユニット１０９と対応して接合する。
欄干主体ユニットは、外フレーム材１１１、内フレーム材１１２及び中央欄干部分（格子状柵１１３）からなる枠状柵体で、その中央欄干は縦棒状、横棒状、フェンス状或いは彫模様など様々な型がある。本実施例１では格子状柵１１３を中央欄干の型に用いている。施工前に、使用者のニーズに応じて欄干の型を選定し、予め工場で枠状柵体を作製し、欄干主体ユニットの左外フレーム材１１４及び右外フレーム材１１５の部分に前記固定ユニットの立柱１０１の上方、下方に開けた各ネジ穴１０５と対応させてそれぞれ２つの凹穴１１６を設けておき、Ｔ型立柱の腹板１０４の上方、下方に開けたネジ穴１０５にボルト１１７を挿入して両側をナット１１８で仮固定して、該欄干主体ユニットの前記凹穴１１６の開口をボルト１１７に掛け入れ、更にパッド１１９及び止めナット１２０で固く締め付け、該欄干主体ユニットを前記固定ユニットのＴ型立柱１０１に固定させる。このほか、該欄干主体ユニットの内フレーム材１１２、外フレーム材１１１は中空フレーム体とし、継ぎ目から雨水が浸入し部材内部に留って錆びが生じないようになっており、さらに該欄干主体ユニットの内、外フレーム材の下方に排水用の数個の排水孔１２１を設けて、溜り水によりフレーム材に錆びが発生することを防止するとともに、欄干部材の耐用期限を保証している。
手すりユニット１０９は、防蝕処理を施した材料で作製した中空の円管で、該円管の両端下方にはそれぞれ方形の凹部１１０が形成され、該手すりユニット１０９を取り付ける際に、該方形の凹部１１０とＴ型立柱の両側に設置される方形の凸部１０２とを嵌合させ、前記固定ユニットの方形凸部１０２の底部でネジによって前記方形凸部１０２と該手すりユニット１０９の方形凹部１１０を固着し、前記手すりユニット１０９を立柱１０１と立柱１０１の間に固定させて階段手すりに仕上げ、欄干構造全体の安定性に寄与させており、取り外す際にはネジを緩めるだけで、手すりユニットを容易に上向きに引き上げて外すことができる。
【実施例２】
【００２０】
図４〜６に示したように、本実施例もまた剛性部材を組み立ててなる着脱が容易な欄干であり、固定ユニット、手すりユニット及び欄干主体ユニットからなる部材を組み合わせて構成されている。固定ユニット、手すりユニットの型及びその施工方法は前記実施例１といずれも同じであるが、欄干主体ユニットの中央欄干の型を横棒状２０１に改変している。
【実施例３】
【００２１】
図７〜９に示したように、本実施例３は実施例１の格子状柵欄干を階段箇所に取り付けたもので、下記構造を有している。
固定ユニットは、Ｔ型立柱３０１及び方形凸部３０２を有し、該Ｔ型立柱３０１は長めの薄い金属板からなり、該Ｔ型立柱３０１の羽根板３０３及び腹板３０４の上方、下方にそれぞれ予めネジ穴３０５を開けておき、施工時に該Ｔ型立柱３０１を倒置して該Ｔ型立柱３０１の羽根板３０３と、階段の段面３０６を重ね合わせて、ネジ３０７で該Ｔ型立柱３０１を階段の段面３０６上に固定する（或いは図７の符号３２０で示したように、羽根板を階段の横壁に固定する）。該Ｔ型立柱の腹板３０４の羽根板３０３から離れた方の一側は辺の角を平滑状に仕上げ、該方形凸部３０２は立柱３０１の腹板の左右両側に取り付け、方形凸部３０２は予め施工現場の階段の傾斜角度を測量し、工場で測量したデータに基づいて型を作って取り付けようとする階段の傾斜角度に平行となるようにし、該方形凸部３０２の底部に貫通させたネジ穴３０８を開けておき、前記手すりユニット３０９の方形凹部３０１と嵌合させる。
欄干主体ユニットは、外フレーム材３１１、内フレーム材３１２及び中央欄干部分からなる枠状柵体で、本実施例３では格子状柵３１３を中央欄干の型として用いている。施工方法は前記実施例１の水平面における施工と同様であるが、該欄干主体ユニットの形状を平行四辺形として、施工時に各部材が確実に組み合わさるようにし、図７で示したような着脱が容易な欄干を形成させ、階段間の方形角に合わせるようにして実施例１の施工方法を改変的に採用する（円形或いは特殊な彎曲箇所には適用できない）。欄干主体ユニットの外フレーム材３１１の左右両側にはそれぞれ２つの凹穴３１４を設けておき、前記固定ユニットのＴ型立柱３０１の腹板の上方、下方に開けたネジ穴３０５と対応させて、前記Ｔ型立柱の腹板の上方、下方に開けたネジ穴３０５にボルト３１５を挿入し、両側をナット３１６で仮固定して、該欄干主体ユニットの前記凹穴３１４の開口に前記ボルト３１５を掛け入れ、更にパッド３１７及び止めナット３１８で固く締め付けて、欄干主体ユニットを前記固定ユニットのＴ型立柱３０１に固定させる。さらに内フレーム材３１２、外フレーム材３１１の下方に排水用の数個の排水孔３１９を設置する。
手すりユニット３０９は、防蝕処理を施した材料から作製した中空の円管で、該円管の両端下方にはそれぞれ方形の凹部３１０が溶接され、前記手すりユニット３０９を取り付ける際に、該方形の凹部３１０が前記固定ユニットのＴ型立柱３０１の腹板３０４の両側に形成された方形凸部３０２に嵌合され、前記固定ユニットの方形凸部３０２と前記手すりユニット３０９の方形の凹部３１０とをネジで固着し、前記手すりユニット３０９を前記欄干主体ユニットに平行にするとともに前記固定ユニットのＴ形立柱３０１の間に取り付ける。
【図面の簡単な説明】
【００２２】
【図１】本発明に関連する実施例１における欄干主体ユニットが格子状柵である着脱が容易な欄干の立面図である。
【図２】図１のＡ−Ａ断面における平面図である。
【図３】（ａ）：図１のＢ−Ｂ断面における側面図である。（ｂ）：(a)の点線円箇所の拡大図である。（ｃ）:（ａ）の断面１２２における立柱の断面を示す図である。
【図４】本発明に関連する実施例２における欄干主体ユニットが横棒状である着脱が容易な欄干の正面図である。
【図５】図４のＣ−Ｃ断面における平面図である。
【図６】）（ａ）：図４のＤ−Ｄ断面における側面図である。（ｂ）：（ａ）の点線円箇所の拡大図である。
【図７】本発明に関連する実施例３における欄干主体ユニットが格子状柵である欄干を階段箇所に取り付けたところを示す正面図である。
【図８】図７のＥ−Ｅ断面における平面図である。
【図９】（a):図７のＦ−Ｆ断面における平面図である。（ｂ）:（ａ）の点線円箇所の拡大図である。（ｃ）:ａ）の断面３２０における立柱の断面を示す図である。
【符号の説明】
【００２３】
１０１  立柱
１０２  方形凸部
１０３  羽根板
１０４  腹板
１０５  ネジ穴
１０６  ネジ
１０７  辺の角
１０８  ネジ穴
１０９  手すりユニット
１１０  方形の凹部
１１１  外フレーム材
１１２  内フレーム材
１１３  格子状柵
１１４  左外フレーム材
１１５  右外フレーム材
１１６  凹穴
１１７  ボルト
１１８  ナット
１１９  パッド
１２０  止めナット
１２１  排水孔
１２２  立柱の断面
２０１  横棒
２０２  凹穴
３０１  立柱
３０２  方形凸部
３０３  羽根板
３０４  腹板
３０５  ネジ孔
３０６  階段の段面
３０７  ネジ
３０８  ネジ孔
３０９  手すりユニット
３１０  方形の凹部
３１１  外フレーム材
３１２  内フレーム材
３１３  格子状柵
３１４  凹穴
３１５  ボルト
３１６  ナット
３１７  パッド
３１８  止めナット
３１９  排水孔
３２０  立柱の断面
【図１】
2005030076.tif 000003
【図２】
2005030076.tif 000004
【図３】
2005030076.tif 000005
【図４】
2005030076.tif 000006
【図５】
2005030076.tif 000007
【図６】
2005030076.tif 000008
【図７】
2005030076.tif 000009
【図８】
2005030076.tif 000010
【図９】
2005030076.tif 000011